【手続補正書】
【提出日】平成22年6月17日(2010.6.17)
【手続補正１】
【補正対象書類名】特許請求の範囲
【補正対象項目名】全文
【補正方法】変更
【補正の内容】
【特許請求の範囲】
【請求項１】
情報記録媒体のフォーマット処理を行う装置であって、
前記情報記録媒体は、データ領域を備え、
前記データ領域は、ユーザデータ領域とスペア領域とを備え、
前記ユーザデータ領域は、ユーザデータが記録される領域であり、
前記スペア領域は、ユーザデータ領域、またはスペア領域における欠陥ブロックの代わりに使用される交替先ブロックを含み、
前記交替先ブロックは、前記交替先ブロックの一部が有効データを含んでいないことを示す指示情報を含んでおり、
前記装置は、前記フォーマット処理を制御する制御部を備え、
前記フォーマット処理を行う場合、前記制御部は、前記交替先ブロックが全ての有効データを含んでいることを示すように、前記交替先ブロックに含まれる前記指示情報をクリアする、装置。
【請求項２】
前記指示情報は、
前記交替先ブロックに含まれる有効データの状態を示すステータス情報と、前記欠陥ブロックの位置を示すアドレス情報とを含んでおり、
前記制御部は、前記フォーマット処理を行う場合、前記交替先ブロックに含まれる有効データは前記欠陥ブロックに存在しないことを示すように、少なくとも前記ステータス情報をクリアする、請求項１に記載の装置。
【請求項３】
前記指示情報は、
前記交替先ブロックに含まれる有効データの状態を示すステータス情報と、前記欠陥ブロックの位置を示すアドレス情報とを含んでおり、
前記制御部は、前記フォーマット処理を行う場合、前記交替先ブロックに含まれる有効データは前記欠陥ブロックに存在しないことを示すように、少なくとも前記アドレス情報をダミー情報に更新する、請求項１に記載の装置。
【請求項４】
前記制御部は、前記フォーマット処理としてクイックサーティファイ処理を行うときに、前記交替先ブロックに含まれる情報を更新する処理を行う、請求項１に記載の装置。
【請求項５】
情報記録媒体のフォーマット処理を行う装置であって、
前記情報記録媒体は、物理アドレスが割り当てられた複数のブロックを備え、
前記複数のブロックは、欠陥と判定された複数の欠陥ブロックを含んでおり、
前記情報記録媒体は、前記複数の欠陥ブロックを属性の種類毎に分類した欠陥リストを記録する欠陥管理領域を備えており、
前記装置は、前記フォーマット処理を制御する制御部を備え、
前記フォーマット処理は、前記欠陥ブロックを対象として処理を行う欠陥ブロック処理を含んでおり、
前記制御部は、前記属性の異なる２つ以上の前記欠陥ブロックに対して、物理アドレス順に前記欠陥ブロック処理を行う、装置。
【請求項６】
前記制御部は、前記属性の種類毎に分類された前記複数の欠陥ブロックを前記物理アドレス順に並べ替えたリストを生成し、前記物理アドレス順に並べ替えたリストを用いて前記欠陥ブロック処理を行う、請求項５に記載の装置。
【請求項７】
前記制御部は、前記物理アドレスが連続する互いに隣接する複数の欠陥ブロックに対して一括して前記欠陥ブロック処理を行う、請求項６に記載の装置。
【請求項８】
前記制御部は、前記欠陥ブロック処理を行うとき、前記属性毎の次に前記欠陥ブロック処理を行う予定の欠陥ブロックを示す情報を保持する、請求項６に記載の装置。
【請求項９】
前記制御部は、前記欠陥ブロック処理としてクイックサーティファイ処理を行うときに、前記属性の異なる２つ以上の前記欠陥ブロックに対して、物理アドレス順にサーティファイ処理を行う、請求項５に記載の装置。
【請求項１０】
情報記録媒体のフォーマット処理を行う方法であって、
前記情報記録媒体は、データ領域を備え、
前記データ領域は、ユーザデータ領域とスペア領域とを備え、
前記ユーザデータ領域は、ユーザデータが記録される領域であり、
前記スペア領域は、ユーザデータ領域、またはスペア領域における欠陥ブロックの代わりに使用される交替先ブロックを含み、
前記交替先ブロックは、前記交替先ブロックの一部が有効データを含んでいないことを示す指示情報を含んでおり、
前記フォーマット処理は、前記欠陥ブロックを対象として処理を行う欠陥ブロック処理を含んでおり、
前記方法は、
前記欠陥ブロックに前記欠陥ブロック処理を行うステップと、
前記交替先ブロックが全ての有効データを含んでいることを示すように、前記交替先ブロックに含まれる前記指示情報をクリアするステップと
を包含する、方法。
【請求項１１】
情報記録媒体のフォーマット処理を行う方法であって、
前記情報記録媒体は、物理アドレスが割り当てられた複数のブロックを備え、
前記複数のブロックは、欠陥と判定された複数の欠陥ブロックを含んでおり、
前記情報記録媒体は、前記複数の欠陥ブロックを属性の種類毎に分類した欠陥リストを記録する欠陥管理領域を備えており、
前記フォーマット処理は、前記欠陥ブロックを対象として処理を行う欠陥ブロック処理を含んでおり、
前記方法は、前記属性の異なる２つ以上の前記欠陥ブロックに対して、物理アドレス順に前記欠陥ブロック処理を行うステップを包含する、方法。
【手続補正２】
【補正対象書類名】明細書
【補正対象項目名】００８２
【補正方法】変更
【補正の内容】
【００８２】
本発明の装置は、情報記録媒体のフォーマット処理を行う装置であって、前記情報記録媒体は、データ領域を備え、前記データ領域は、ユーザデータ領域とスペア領域とを備え、前記ユーザデータ領域は、ユーザデータが記録される領域であり、前記スペア領域は、ユーザデータ領域、またはスペア領域における欠陥ブロックの代わりに使用される交替先ブロックを含み、前記交替先ブロックは、前記交替先ブロックの一部が有効データを含んでいないことを示す指示情報を含んでおり、前記装置は、前記フォーマット処理を制御する制御部を備え、前記フォーマット処理を行う場合、前記制御部は、前記交替先ブロックが全ての有効データを含んでいることを示すように、前記交替先ブロックに含まれる前記指示情報をクリアすることを特徴とする。
【手続補正３】
【補正対象書類名】明細書
【補正対象項目名】００８３
【補正方法】変更
【補正の内容】
【００８３】
ある実施形態によれば、前記指示情報は、前記交替先ブロックに含まれる有効データの状態を示すステータス情報と、前記欠陥ブロックの位置を示すアドレス情報とを含んでおり、前記制御部は、前記フォーマット処理を行う場合、前記交替先ブロックに含まれる有効データは前記欠陥ブロックに存在しないことを示すように、少なくとも前記ステータス情報をクリアする処理を行う。
【手続補正４】
【補正対象書類名】明細書
【補正対象項目名】００８４
【補正方法】変更
【補正の内容】
【００８４】
ある実施形態によれば、前記指示情報は、前記交替先ブロックに含まれる有効データの状態を示すステータス情報と、前記欠陥ブロックの位置を示すアドレス情報とを含んでおり、前記制御部は、前記フォーマット処理を行う場合、前記交替先ブロックに含まれる有効データは前記欠陥ブロックに存在しないことを示すように、少なくとも前記アドレス情報をダミー情報に更新する処理を行う。
【手続補正５】
【補正対象書類名】明細書
【補正対象項目名】００９１
【補正方法】変更
【補正の内容】
【００９１】
本発明の方法は、情報記録媒体のフォーマット処理を行う方法であって、前記情報記録媒体は、データ領域を備え、前記データ領域は、ユーザデータ領域とスペア領域とを備え、前記ユーザデータ領域は、ユーザデータが記録される領域であり、前記スペア領域は、ユーザデータ領域、またはスペア領域における欠陥ブロックの代わりに使用される交替先ブロックを含み、前記交替先ブロックは、前記交替先ブロックの一部が有効データを含んでいないことを示す指示情報を含んでおり、前記フォーマット処理は、前記欠陥ブロックを対象として処理を行う欠陥ブロック処理を含んでおり、前記方法は、前記欠陥ブロックに前記欠陥ブロック処理を行うステップと、前記交替先ブロックが全ての有効データを含んでいることを示すように、前記交替先ブロックに含まれる前記指示情報をクリアするステップとを包含することを特徴とする。
【手続補正６】
【補正対象書類名】明細書
【補正対象項目名】００９３
【補正方法】変更
【補正の内容】
【００９３】
本発明によれば、交替先ブロックの一部が有効データを含んでいないことを示す指示情報を交替先ブロックが含んでいることから、欠陥ブロックをサーティファイする場合は、交替先ブロックが全ての有効データを含んでいることを示すように交替先ブロックに含まれる指示情報（例えば、ＰＬＡおよび／またはステータスビット）をクリアする。この更新により、サーティファイ後に交替先ブロックに記録されたデータを読み出すときに、欠陥ブロックにアクセスしないようにする。これにより、不要なＰＬＡ辿り処理が行われることが無くなるため、処理パフォーマンスを向上させることができる。なお、上記欠陥ブロックは交替元ブロック（交替先ブロックのデータがその交替先ブロックに記録される直前に記録されていたブロック）を含む。